(57)【特許請求の範囲】
【請求項１】
緊急時の救助要請用の救助用照明器具セットであって
救助用照明器具セットは
救助用照明器具と前記救助用照明器具に設けられる自動通電器具と前記救助用照明器具と前記救助用照明器具が収納され携帯可能な収納ケースと前記収納ケース内に配置され海水を吸収することにより吸水発泡で肥大化する発泡剤を備え
前記救助用照明器具は
互いに連結した複数色のＬＥＤライトと前記複数色のＬＥＤライトを封入する防水加工したチューブを備え数ヶ所に浮遊材を取り付けられ前記複数色のＬＥＤライトが海面で点滅灯火することで早期に遭難者の所在を捜索者に確知させ
前記自動通電器具は
前記複数色のＬＥＤライトと電源を接続する導線と前記導線の途中に設けられ前記導線を絶縁する絶縁材とを備え前記複数色のＬＥＤライトは赤色ＬＥＤライトを備え前記救助用照明器具を緊急時に海中に投下すると前記絶縁材が海水を吸水することによって前記絶縁材が前記導線に通電し前記赤色ＬＥＤライトを自動的に点滅灯させ
救助用照明器具セットは
緊急時に前記救助用照明器具収納ケースから取り出して海中に投下する又は遭難者が意識無く海中に落ち時間経過した時には、前記収納ケース内の前記発泡剤が吸水発泡し、肥大化することで収納ケースの内側からロックをはずすことによって
前記救助用照明器具を海面に展開させ通電の操作はしなくとも前記自動通電器具で赤色ＬＥＤライトを自動的に点滅灯火させ
不良部品は接続器具で交換でき緊急時の作動不能の危険を防止でき海難捜索の救助信号発信器を取り付けることが可能な構造を備え
山岳遭難時ではボタンスイッチで前記複数色のＬＥＤライトを点滅灯火させ海洋で意識の無い遭難者や負傷者の所在を近くの捜索者に確知させることを特徴とする救助用照明器具セット
【発明の詳細な説明】
【技術分野】
【０００１】    本発明の、救助用照明器具セットを、緊急時に収納ケースから出して海中に投下し、自動通電器具で赤色ＬＥＤライトを点滅灯火させ、浮遊材で海面に浮遊させ遭難者を捜索者に確知させる、遭難者が意識無く海中に落ちた時は、格納した吸水剤で発泡剤を吸水発泡させ、肥大化することで内側からロックをはずし海面に展開させて、灯火の操作はしなくとも赤色ＬＥＤライトを自動的に点滅灯火でき、ボタンスイッチで複数色のＬＥＤライトを点滅灯火させ、使用前点検又は、定期的に電池の劣化やＬＥＤライトの作動確認が行え、不良部品は接続器具で交換し緊急時の作動不能の危険防止をはかり、海難捜索の救助信号発信器も取り付でき、山岳遭難時でも複数色のＬＥＤライトを点滅灯火させ、遭難者や負傷者の所在を近くの登山者等に確知させることを特徴とする、救助用照明器具セットである。
【背景技術】
【０００２】  現在使用の器具は、電池を利用して感知器か手操作で浮き袋装置を作動させる又、反射材と発光材を救命具に装置し捜索者の発するライトに反射させ、さらに蓄圧ボンベでバルーン等を拡張させ捜索者に救助させる器具類である。
【先行技術文献】
【特許文献】
【０００３】
【特許文献１】  特開平６−４０３７７号公報
【特許文献２】  特開２００２−２９４９３号公報
【特許文献３】  特開２００８−１１４６４０号公報
【発明の概要】
【発明が解決しようとする課題】
【０００４】    上記特許文献１に示す装置は、自動発光装置と浮き袋収納で浮力により浮袋収納部から離脱する時に、通電性の中空球の固定板から離脱し電池ボックスの＋−極に接触させ、通電し蓄圧ボンベでガスを発生させる、機構が複雑であり確実に作動するか安全点検が出来ない。
特許文献２に示す装置は、海難時に手動で蓄圧ボンベの軽量ガスで収納ボックスからバルーンを拡張させ飛ばす、作動の確認は難しくこれも安全点検が出来ない。
特許文献３に示す装置は、反射材と蛍光材を使用して救命ボート等に装着し、捜索者が照射したライトに反射して位置を確認する、これは捜索者の発する照射光が反射材に当たらなければ発見は出来ず、捜索は難しい。【０００５】    本発明は、従来の各問題点を解消するため、救命胴衣やベルト等に装着し緊急時に海中に投下、自動スイッチのカバーを浸透した海水により、スイッチ内の絶縁している絶縁材が吸水することで、通電の操作はなくとも吸水した絶縁材が導線に通電し、ＬＥＤライトを点滅灯火させ捜索者に確知を促す、遭難者が意識無く海中に落ちた時は、収納ケース内の発泡剤を吸水発泡させ内側から開放して、赤色ＬＥＤライトを自動的に点滅灯火することで、遭難者の所在を捜索者に確知させる、使用前又は、定期的に作動の検査を行い不良部品による、緊急時の作動不能の防止をはかれることを特徴とする、救助用照明器具セットである。
【課題を解決するための手段】
【０００６】    上記、課題を解決するため、数メートルに連結した複数色のＬＥＤライトをチューブ等で防水保護して、複数色のＬＥＤライトを複数個点滅灯火した救助用照明器具を、海面に浮遊させ遭難者の所在を早期に捜索者に確知させることを特徴とする、救助用照明器具である。【０００７】    緊急時に、この救助用照明器具を海中に投下し、自動スイッチの半防水のカバーを浸透した海水により、スイッチ内の絶縁材が吸水して絶縁材が導線に通電する、灯火の操作はしなくとも赤色ＬＥＤライトを自動点滅灯火させることを特徴とする、自動通電器具である。【０００８】    緊急時に、救助用照明器具を収納ケースから取り出して海中に投下、海面を浮遊させ自動通電器具の絶縁材が海水を浸透吸水して、絶縁材で導線に通電して赤色ＬＥＤライトを点滅灯火する、遭難者が意識無く海中に落ちた時は、収納ケース内の吸水剤で発泡剤を吸水発泡させ、ケースを内側から開放して赤色ＬＥＤライトを自動点滅灯火し、遭難者の所在を捜索者に確知を促す救助用照明器具セット、押しボタンスイッチで複数色のＬＥＤライトを点滅灯火でき、使用前又は、定期的に作動の確認検査が簡単で不良部品は、接続器具で交換でき緊急時の作動不能の危険防止がはかれることを特徴とする、救助用照明器具セットである。
【発明の効果】
【０００９】    本発明は、緊急時に救助用照明器具セットを海中に投下、自動スイッチ内の絶縁材が浸透吸水し絶縁材がスイッチとなり、導線に通電して赤色のＬＥＤライトを点滅灯火させ、海面を浮遊させて遭難者を捜索者に確知させる、収納ケースで作業時等の不執拗な作動の防止を図り、遭難者が意識無く海中に落ちた時は、収納ケース内の発泡剤を吸水発泡させ器具を開放して、自動通電器具で赤色ＬＥＤライトを自動的に点滅灯火させる、使用前点検又は、定期的に電池の劣化やＬＥＤライトを検査して、不良部品の交換が簡単であり作動不能の危険防止がはかれ、収納ケース内に海難捜索の救助信号発信器も取り付でき、又、ワサビ等の刺激物を添付装着すれば、嗅覚の敏感なサメの接近を防止する事も可能、山岳遭難時等でも複数色のＬＥＤライトを点滅灯火して、遭難者や負傷者を近くの登山者等に確知を促すことを特徴とする、救助用照明器具セットが提供される。【００１０】    救助用照明器具で数メートルに連結した複数色のＬＥＤライトを、防水加工したチューブ等に封入し、数ヶ所に浮遊材を取り付することで海面を浮遊させて、複数色のＬＥＤライトを点滅灯火し捜索者に確知を促すことを特徴とする、救助用照明器具である。【００１１】  救助用照明器具を収納ケースから取り出し海中に投下し、自動スイッチのカバーを浸透した海水により、スイッチ内の絶縁材が吸水し絶縁材で導線に通電して、操作は行わずに赤色ＬＥＤライトを自動点滅灯火させることを特徴とする、自動通電器具である。【００１２】  救助用照明器具を海中に投下し、不執拗な作動の防止を図ったスイッチカバーが、海水を浸透吸水することで絶縁材が吸水、その絶縁材が導線に通電してＬＥＤライトを点滅灯火させる、遭難者が意識無く海中に落ち長時間経過した時は、収納ケース内の発泡剤が吸水発泡しケースを内側から開放し、自動スイッチで赤色ＬＥＤライトを自動点滅灯火させ、遭難者の所在を早期に捜索者に確知を促す、定期的に作動の確認検査で不良品は接続器具で交換して、作動不能の危険防止をはかれることを特徴とする、救助用照明器具セットである。
【図面の簡単な説明】
【００１３】
【図１】  本発明となる、救助用照明器具セットの構成と形態図
【図２】  （Ａ）（Ｂ）（Ｃ）は、自動スイッチと絶縁材でスイッチカバーの構造図
【図３】  （Ｄ）（Ｅ）は、ケースに救助用照明器具の収納と、開放された透視図
【図４】  ＬＥＤライト点灯機構図
【発明を実施するための形態】
【実施例】
【００１４】  図１は、照明器具の封入体３に数メートルで複数個のＬＥＤライト１を、電線２で制御装置４に接続しケーブル線１３の接合器具１４を使い、軟合成樹脂製の電池ケース５に結合して、筒状で不執拗な通電を防止するスイッチカバー１７で、自動スイッチ１５を覆い浸透水により、スイッチカバー１７と絶縁材１６が吸水することで、十導線６に通電して赤色ＬＥＤライト１を自動点滅灯火させる、ボタン電池８はボタン電池ホルダー１２に装着し、押ボタンスイッチ９は電池ケース５の外から押せ、押ボタンスイッチ９で制御装置４を制御し、ＬＥＤライト１を点滅灯火させ、押しボタンスイッチ９を操作しない場合は赤色ＬＥＤライト１を点滅灯火、ケーブル線１３の接続器具１４で各器具の交換取り外しが簡単で、定期検査や使用前検査で不良部品を交換し、器具は連結線２４で収納ケース１８に装着して、装着金具１１で救命胴衣又はベルト等に装着し常時携帯する、照明器具の機構を示す形態図である。【００１５】  図２（Ａ）から（Ｃ）は通電器具の絶縁材１６とスイッチカバー１７の構造図である。
図２（Ａ）は、ケーブル線１３の自動スイッチ１５で、分離し交差させた十導線６を固定して、その２本の十導線６の間を絶縁材１６で絶縁して、海水を絶縁材１６が吸水することで十導線６に通電させる自動スイッチ１５で、−導線７を配置した自動スイッチ１５の、構造図である。
図２（Ｂ）は、絶縁材１６の、形態図である。
図２（Ｃ）は、自動スイッチ１５と装着するスイッチカバー１７、軽度な水で十導線６に不執拗な通電を防止し、自動スイッチ１５を覆い海水を絶縁材１６が浸透吸水して、通電させる自動スイッチ１５と、円筒状のスイッチカバー１７の構造図である。【００１６】  図３（Ｄ）（Ｅ）は、救助用照明器具を収納ケース１８内に収納された透視図と、発泡剤１９が吸水発泡で肥大化し開放された収納ケース１８の内部透視図と、救助用照明器具は記載してない透視図である。
図３（Ｄ）は、収納ケース１８を保持線１０の装着金具１４で救命胴衣又はベルト等に装着して、作業中も携帯し遭難者が意識無く海中に落ち数時間経過すると、ケース内の吸水材２０で発泡剤１９を吸水させ発泡肥大化して、収納ケース１８のケース保持凸２１を開放して放出される、自動スイッチ１５により海水を吸水した絶縁材１６で＋導線６を通電させ、赤色ＬＥＤライト１を自動点滅灯火する収納ケース１８に収納された、救助用照明器具セットの透視図である。
図３（Ｅ）は、吸水材２０が海水を吸収し発泡剤１９を吸水発泡で肥大化させ、ケース保持凸２１とケース保持凹２２を内から開放した収納ケース１８で、収納ケース１８には海上での作業で吸水材２０が、不執拗な海水を受けるのを防止する防水ケースカバー２３で、収納ケース１８上蓋を覆い連結線２４で収納ケース１８の上下を連結する構造図で。
図３（Ｅ）は、救助用照明器具の表記を削除した、収納ケース１８の透視図である。【００１７】  ［図４］  ボタンスイッチ９で赤色と複数色のＬＥＤライト１を順番に灯火する機能図。
【産業上の利用可能性】
【００１８】    本発明は、海難事故で海中に投げ出され、海上で唯一確認できるのは頭部か上半身であり、捜索や救助で遭難者を確認するのは非常に困難なことである、其処で、数メートルに連結した複数色のＬＥＤライトをチューブ等の封入体で防水保護して、携帯可能な合成樹脂製の収納ケースに救助用照明器具セットを装着、緊急時に海中に投入して海面に浮遊させ、スイッチカバーを装着した自動スイッチで、カバーを浸透した海水によりスイッチ内の絶縁材が吸水、その絶縁材で導線に通電してＬＥＤライトを自動点滅灯火させ、早期に遭難者を捜索者に確知させる救助用照明器具セットで、不慮の事故で海中に投げ出され本人の意思気が無くとも、海中で収納ケース内の発泡剤が吸水発泡しケースを内側から開放して、自動スイッチで赤色ＬＥＤライトを自動点滅灯火させる、電池の劣化やＬＥＤライトの不良は使用前や定期的に点検、不良器具は接続器具で交換して緊急時の作動不能の危険防止がはかれ、又、海難捜索に関する救助信号発信器を収納ケースに装着して、太陽電池を装備すれば長時間の救助信号発信が可能で船舶等にも使用でき、収納ケースにワサビ等の刺激物を添付装着して、嗅覚の敏感なサメの接近を防止する事も可能、山岳遭難時でも複数色のＬＥＤライトを点滅灯火して、遭難者や負傷者を近くの登山者等に確知を促す、救助用照明器具セットが提供される。
【符号の説明】
【００１９】  １  ＬＥＤライト        ２  電線                ３  封入体
４  制御装置            ５  電池ケース          ６  十導線
７  一導線              ８  ボタン電池          ９  押しボタンスイッチ
１０  保持線            １１  装着金具          １２  ボタン電池ホルダー
１３  ケーブル線        １４  接続器具          １５  自動スイッチ
１６  絶縁材            １７  スイッチカバー    １８  収納ケース
１９  発泡剤            ２０  吸水材            ２１  ケース保持凸
２２  ケース保持凹      ２３  防水ケースカバー  ２４  連結線
【図１】
0006582174.tif 000002
【図２】
0006582174.tif 000003
【図３】
0006582174.tif 000004
【図４】
0006582174.tif 000005